(57)【要約】【課題】洗浄液の汚れを回避してヘッド全体に好ましい洗浄処理を施すことを可能とするヘッド洗浄装置及び画像記録装置並びにヘッド洗浄方法を提供する。【解決手段】ケース１６３は、洗浄液供給部１６２Ａと洗浄液回収部１６６が設けられ。洗浄液供給部１６２Ａと洗浄液回収部１６６は仕切板１６７によって区画されている。洗浄液供給部１６２Ａから塗布ローラ１６１によってくみ上げられた洗浄液１６２は、塗布ローラ１６１の外周面にコート層１６５を形成する。洗浄液のコート層１６５がヘッド７２のノズル面７２Ａに接触すると、洗浄液はヘッド７２と塗布ローラ１６１との間に濡れ広がる。ノズル面７２Ａの傾斜を伝って傾斜の下側端部７２Ｄから滴り落ちた使用済みの洗浄液は、傾斜の下側端部７２Ｄの直下に位置する洗浄液回収部１６６に回収される。【選択図】図６
2010221566.tif 000002
【特許請求の範囲】
【請求項１】
水平面に対して傾けて配置された記録ヘッドの液体吐出面に対応する傾斜した外周面を有する略円錐形状の塗布ローラと、
前記塗布ローラを略円錐形状の軸を回転軸として回転させて、前記ノズル面に対して非接触で洗浄液を塗布する回転手段と、
前記塗布ローラに供給される洗浄液を貯留する洗浄液供給手段と、
前記塗布ローラを前記回転軸について回転可能に支持し、かつ、前記洗浄液供給手段に貯留されている洗浄液に前記塗布ローラの一部が接触するように前記塗布ローラを支持するとともに、前記記録ヘッドと前記塗布ローラが対向する状態において、前記記録ヘッドの傾斜における下側端部が前記塗布ローラの傾斜面における下側端部よりも前記塗布ローラの外側に位置するように前記塗布ローラを支持する塗布ローラ支持手段と、
前記記録ヘッドの傾斜における下側端部の直下に設けられ、前記記録ヘッドの傾斜における下側端部から洗浄液を回収する洗浄液回収手段と、
を備えたことを特徴とするヘッド洗浄装置。
【請求項２】
請求項１に記載のヘッド洗浄装置において、
前記洗浄液供給手段は、前記洗浄液回収手段と一体に構成されるとともに、
前記塗布ローラに供給される洗浄液を貯留する供給部と前記記録ヘッドから滴下された洗浄液を回収する回収手段が仕切部材によって区画される構造を有することを特徴とするヘッド洗浄装置。
【請求項３】
請求項２に記載のヘッド洗浄装置において、
前記仕切部材は、前記記録ヘッドの傾斜における下側端部が前記回収手段側に位置するように水平方向の位置が決められていることを特徴とするヘッド洗浄方法。
【請求項４】
請求項２又は３に記載のヘッド洗浄装置において、
前記洗浄液供給手段は、前記塗布ローラ支持手段と一体に構成され、
前記仕切部材は、前記塗布ローラが洗浄液と接触する洗浄液の高さに対応する高さを有することを特徴とするヘッド洗浄装置。
【請求項５】
請求項１乃至４のいずれかに記載のヘッド洗浄装置において、
前記洗浄液供給手段は、前記塗布ローラの一部が洗浄液に接触するように前記塗布ローラが支持された状態で、前記塗布ローラの傾斜面における上側端部の近傍位置に洗浄液を補充する補充口が設けられる構造を有することを特徴とするヘッド洗浄装置。
【請求項６】
請求項１乃至５のいずれかに記載のヘッド洗浄装置において、
前記洗浄液回収手段は、回収した洗浄液を排出する排出口を備えたことを特徴とするヘッド洗浄装置。
【請求項７】
請求項１乃至６のいずれかに記載のヘッド洗浄装置において、
前記洗浄液回収手段によって回収された洗浄液に再使用のための再使用処理を施す再使用処理手段と、
前記再使用処理手段から前記洗浄液供給手段へ再使用処理後の洗浄液を循環させる循環手段と、
を備えたことを特徴とするヘッド洗浄装置。
【請求項８】
請求項１乃至７のいずれかに記載のヘッド洗浄装置において、
前記記録ヘッドの長手方向に沿って、前記記録ヘッドと前記塗布ローラとを相対的に移動させる移動手段を備えたことを特徴とするヘッド洗浄装置。
【請求項９】
円筒形状を有し、外周面に保持された記録媒体を所定の搬送方向に搬送する記録媒体搬送手段と、
前記記録媒体搬送手段の外周面に対向し、水平面に対して傾けられて配置され、前記記録媒体に画像を記録する液体を吐出するノズルが前記記録媒体搬送手段の外周面に対向するノズル面に設けられる記録ヘッドと、
前記記録ヘッドに洗浄液を塗布する洗浄処理部と、
を備え、
前記洗浄処理部は、前記記録ヘッドの液体吐出面に対応する傾斜した外周面を有する略円錐形状の塗布ローラと、
前記塗布ローラを略円錐形状の軸を回転軸として回転させて、前記ノズル面に対して非接触で洗浄液を塗布する回転手段と、
前記塗布ローラに供給される洗浄液を貯留する洗浄液供給手段と、
前記塗布ローラを前記回転軸について回転可能に支持し、かつ、前記洗浄液供給手段に貯留されている洗浄液に前記塗布ローラの一部が接触するように前記塗布ローラを支持するとともに、前記記録ヘッドと前記塗布ローラが対向する状態において、前記記録ヘッドの傾斜における下側端部が前記塗布ローラの傾斜面における下側端部よりも前記塗布ローラの外側に位置するように前記塗布ローラを支持する塗布ローラ支持手段と、
前記記録ヘッドの傾斜における下側端部の直下に設けられ、前記記録ヘッドの傾斜における下側端部から洗浄液を回収する洗浄液回収手段と、
を具備することを特徴とする画像記録装置。
【請求項１０】
請求項９に記載の画像記録装置において、
前記記録ヘッドの記録媒体の搬送方向と直交する長手方向に沿って、前記記録ヘッドと前記塗布ローラとを相対的に移動させる移動手段を備えたことを特徴とする画像記録装置。
【請求項１１】
水平面に対して傾けて配置された記録ヘッドのノズル面に対応する傾斜した外周面を有する略円錐形状の塗布ローラを略円錐形状の軸を回転軸として回転可能に支持し、かつ、洗浄液供給手段に収容されている洗浄液に前記塗布ローラの一部が接触するように前記塗布ローラを支持するとともに、前記記録ヘッドと前記塗布ローラが対向する状態において、前記記録ヘッドの傾斜における下側端部が前記塗布ローラの傾斜面における下側端部よりも外側に位置するように前記塗布ローラを支持し、前記塗布ローラを回転させて、前記ノズル面に対して非接触で洗浄液を塗布する洗浄液塗布工程と、
前記記録ヘッドの傾斜における下側端部から洗浄液を回収する洗浄液回収工程と、
を含むことを特徴とするヘッド洗浄方法。
【発明の詳細な説明】
【技術分野】
【０００１】
本発明はヘッド洗浄装置及び画像記録装置並びにヘッド洗浄方法に係り、特に記録媒体の搬送にドラム搬送方式が適用される画像記録装置における、記録ヘッドのメンテナンス装置の構造に関する。
【背景技術】
【０００２】
汎用の画像記録装置として、インクジェットヘッドに設けられた多数のノズルからカラーインクを吐出して、記録媒体上に所望の画像を形成するインクジェット記録装置が好適に用いられている。インクジェットヘッドを長期間稼動すると、固化したインクや記録媒体の紙粉などの付着物がノズル面に付着してしまう。特に、ノズルの近傍やノズルの開口部に付着物が付着すると、ノズルから吐出されるインクの吐出方向の曲がりや吐出量の減少などが生じてしまうので、インクジェット記録装置はノズル面の洗浄が適宜行われるように構成されている。
【０００３】
特許文献１には、水平面に取り付けられたインクジェットヘッドに対して、洗浄液に浸した円筒形状を有する塗布ローラを回転させて非接触で洗浄液の塗布を行う洗浄装置が開示されている。
【０００４】
ここで、従来技術に係るインクジェット方式の記録ヘッドの洗浄装置について説明する。図１０は、塗布ローラ２００を具備するヘッド洗浄装置２０２の概略構成図である。同図には、塗布ローラ２００を用いてヘッド２０４のノズル面（インク吐出面）２０４Ａに洗浄液２１４（２１０）を塗布している状態が図示されている。同図に示すヘッド２０４は、記録媒体の全幅に対応するフルライン型ヘッドであり、図１０はフルライン型ヘッドの短手方向から見た図である。
【０００５】
ケース２０８に収容された洗浄液２１４は、塗布ローラ２００を回転軸２１６の回りに回転させることでケース２０８からくみ上げられ、塗布ローラ２００の表面には洗浄液のコート層２１４が形成される。ヘッド２０４のノズル面２０４Ａに洗浄液のコート層２１４を接触させ、ヘッド２０４と塗布ローラ２００との間のクリアランスを維持しながらヘッド２０４を長手方向（図１０の紙面を貫く方向）に移動させることで、ヘッド２０４のノズル面２０４Ａの全面にわたって洗浄液２１０が塗布される。
【０００６】
このようにして、ノズル面２０４Ａに塗布された洗浄液は、所定の時間が経過した後に拭き取られ、さらに、すべてのノズルについて予備吐出が行われ、ヘッド２０４の洗浄処理が完了する。
【先行技術文献】
【特許文献】
【０００７】
【特許文献１】特開２０００−９４７０３号公報
【発明の概要】
【発明が解決しようとする課題】
【０００８】
しかしながら、図１０に示した洗浄装置２０２をヘッドの長手方向に移動させながら、フルライン型ヘッドのような長尺のインクジェットヘッドのノズル面に洗浄液を塗布すると、一旦ヘッド２０４と接触した洗浄液２１４が塗布ローラ２００の回転とともにケース２０８に運ばれて、ケース２０８内に滞留する。そうすると、ヘッド２０４の洗浄の進行とともにケース２０８内の洗浄液２１０が汚れてしまい、洗浄能力が低下してしまう。
【０００９】
特許文献１に記載された洗浄装置は、一旦ヘッドに接触した洗浄液が回転クリーニングローラを介して洗浄液排出溝（排出側）から洗浄液供給溝（供給側）へ流れ込むことがあり、洗浄液供給溝内の未使用の洗浄液を汚してしまうおそれがある。
【００１０】
本発明はこのような事情に鑑みてなされたもので、洗浄液の汚れを回避してヘッド全体に好ましい洗浄処理を施すことを可能とするヘッド洗浄装置及び画像記録装置並びにヘッド洗浄方法を提供することを目的とする。
【課題を解決するための手段】
【００１１】
上記目的を達成するために、本発明に係るヘッド洗浄装置は、水平面に対して傾けて配置された記録ヘッドの液体吐出面に対応する傾斜した外周面を有する略円錐形状の塗布ローラと、前記塗布ローラを略円錐形状の軸を回転軸として回転させて、前記ノズル面に対して非接触で洗浄液を塗布する回転手段と、前記塗布ローラに供給される洗浄液を貯留する洗浄液供給手段と、前記塗布ローラを前記回転軸について回転可能に支持し、かつ、前記洗浄液供給手段に貯留されている洗浄液に前記塗布ローラの一部が接触するように前記塗布ローラを支持するとともに、前記記録ヘッドと前記塗布ローラが対向する状態において、前記記録ヘッドの傾斜における下側端部が前記塗布ローラの傾斜面における下側端部よりも前記塗布ローラの外側に位置するように前記塗布ローラを支持する塗布ローラ支持手段と、前記記録ヘッドの傾斜における下側端部の直下に設けられ、前記記録ヘッドの傾斜における下側端部から滴下する洗浄液を回収する洗浄液回収手段と、を備えたことを特徴とする。
【発明の効果】
【００１２】
本発明によれば、塗布ローラによって洗浄液供給部から巻き上げられ、記録ヘッドに接触した洗浄液は、記録ヘッドの傾斜を伝って記録ヘッドの傾斜の下側端部に移動し、ヘッドの下側端部から洗浄液回収手段に回収されるので、記録ヘッドから回収された使用済の洗浄液が使用前の洗浄液に混ざることがなく、記録ヘッドには常に新しい洗浄液が塗布される。
【図面の簡単な説明】
【００１３】
【図１】本発明の実施形態に係るインクジェット画像記録装置の全体構成図
【図２】図１に示すインクジェットヘッドの構成例を示す平面図
【図３】図２の一部拡大図
【図４】図２に示すヘッドモジュールの平面透視図
【図５】インク室ユニットの立体的構成を示す断面図
【図６】本発明の実施形態に係るメンテナンス処理部の全体構成図
【図７】本発明の実施形態に係る洗浄処理部の全体構成図
【図８】図７に示す洗浄処理部の循環流路の構成例を示すブロック図
【図９】図１に示すインクジェット記録装置のシステム構成を示す要部ブロック図
【図１０】従来技術に係るヘッド洗浄装置の概略構成図
【発明を実施するための形態】
【００１４】
〔インクジェット記録装置の全体構成〕
本発明が適用されるインクジェット記録装置の全体構成について説明する。
【００１５】
図１は、本実施形態に係るインクジェット記録装置の全体構成を示した構成図である。同図に示すインクジェット記録装置１０は、インク（水性インク）と処理液（凝集処理液）を用いて記録媒体２４の記録面に画像を形成する２液凝集方式の記録装置であり、主として、給紙部１２、処理液付与部１４、描画部１６、乾燥部１８、定着部２０、及び排出部２２を備えて構成される。給紙部１２には、枚葉紙である記録媒体２４が積層されており、この記録媒体２４が給紙部１２から処理液付与部１４に送られ、処理液付与部１４で記録面に処理液が付与された後、描画部１６で記録面に色インクが付与される。インクが付与された記録媒体２４は、定着部２０で画像が堅牢化された後、排出部２２によって搬送される。
【００１６】
また、インクジェット記録装置１０は、各部の間に中間搬送部２６、２８、３０を備え、この中間搬送部２６、２８、３０によって記録媒体２４の受け渡しが行われるようになっている。即ち、処理液付与部１４と描画部１６との間には、第１の中間搬送部２６が設けられ、この第１の中間搬送部２６によって処理液付与部１４から描画部１６への記録媒体２４の受け渡しが行われる。同様に、描画部１６と乾燥部１８との間には、第２の中間搬送部２８が設けられ、この第２の中間搬送部２８によって描画部１６から乾燥部１８への記録媒体２４の受け渡しが行われる。さらに、乾燥部１８と定着部２０との間には、第３の中間搬送部３０が設けられ、この第３の中間搬送部３０によって乾燥部１８から定着部２０への記録媒体２４の受け渡しが行われる。
【００１７】
以下、インクジェット記録装置１０の各部（給紙部１２、処理液付与部１４、描画部１６、乾燥部１８、定着部２０、排出部２２、第１〜第３の中間搬送部２６、２８、３０）
について説明する。
【００１８】
（給紙部）
給紙部１２は、記録媒体２４を処理液付与部１４に供給する機構である。給紙部１２には、給紙トレイ５０が設けられ、この給紙トレイ５０から記録媒体２４が一枚ずつ処理液付与部１４に給紙される。
【００１９】
（処理液付与部）
処理液付与部１４は、記録媒体２４の記録面に処理液を付与する機構である。処理液は、描画部１６で付与されるインク中の色材（顔料）を凝集させる色材凝集剤を含んでおり、この処理液とインクとが接触することによって、インクは色材と溶媒との分離が促進される。
【００２０】
図１に示すように、処理液付与部１４は、給紙胴５２、処理液ドラム５４、及び処理液塗布装置５６を備えている。給紙胴５２は、給紙部１２の給紙トレイ５０と処理液ドラム５４の間に配置され、後述のモータドライバ１７６（図９参照）によってその回転が駆動制御される。給紙部１２から給紙された記録媒体２４は、この給紙胴５２によって受け取られ、処理液ドラム５４に受け渡される。なお、給紙胴５２の代わりに、後述する中間搬送部を設けてもよい。
【００２１】
処理液ドラム５４は、記録媒体２４を保持し、回転搬送させるドラムであり、後述のモータドライバ１７６（図９参照）によってその回転が駆動制御される。また、処理液ドラム５４は、その外周面に爪形状の保持手段を備え、この保持手段によって記録媒体２４の先端を保持できるようになっている。記録媒体２４は、保持手段によって先端が保持された状態で、処理液ドラム５４を回転させることによって回転搬送される。その際、記録媒体２４の記録面が外側を向くようにして搬送されるようになっている。なお、処理液ドラム５４は、その外周面に吸引孔を設けるとともに、吸引孔から吸引を行う吸引手段を接続してもよい。これにより記録媒体２４を処理液ドラム５４の周面に密着保持することができる。
【００２２】
処理液ドラム５４の外側には、その周面に対向して処理液塗布装置５６が設けられる。処理液塗布装置５６は、記録媒体２４の記録面に処理液を塗布する装置であり、塗布される処理液が貯留された処理液容器と、この処理液容器の処理液に一部が浸漬されたアニックスローラと、アニックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。処理液の膜厚は、描画部１６のヘッド７２Ｍ，７２Ｋ，７２Ｃ，７２Ｙから打滴されるインクの液滴径より十分に小さいことが望ましい。
【００２３】
なお、本実施形態では、記録媒体２４の記録面に処理液を付与する方式として、ローラによる塗布方式を適用した構成を例示したが、これに限定されず、例えば、スプレー方式、インクジェット方式などの各種方式を適用することも可能である。
【００２４】
（描画部）
描画部１６は、インクジェット方式でインクを打滴することによって入力画像に対応した画像を描画する機構であり、描画ドラム７０、用紙抑えローラ７４、及びヘッド７２Ｍ，７２Ｋ，７２Ｃ，７２Ｙを備えている。ヘッド７２Ｍ，７２Ｋ，７２Ｃ，７２Ｙはそれぞれ、マゼンダ（Ｍ）、黒（Ｋ）、シアン（Ｃ）、イエロー（Ｙ）の４色のインクに対応しており、描画ドラム７０の回転方向に上流側から順に配置される。
【００２５】
描画ドラム７０は、その外周面に記録媒体２４を保持し、回転搬送させるドラムであり、後述のモータドライバ１７６（図９参照）によってその回転が駆動制御される。また、描画ドラム７０は、その外周面に爪形状の保持手段を備え、この保持手段によって記録媒体２４の先端を保持できるようになっている。記録媒体２４は、保持手段によって先端が保持された状態で、描画ドラム７０を回転させることによって回転搬送される。その際、記録媒体２４の記録面が外側を向くようにして搬送され、この記録面にヘッド７２Ｍ，７２Ｃ，７２Ｙ，７２Ｋからインクが付与される。
【００２６】
用紙抑えローラ７４は、描画ドラム７０の外周面に記録媒体２４を密着させるためのガイド部材であり、描画ドラム７０の外周面に対向する位置に配置されている。具体的には、中間搬送部２６からの記録媒体２４の受渡位置よりも記録媒体２４の搬送方向（描画ドラム７０の回転方向）下流側であり、且つ、ヘッド７２Ｍ，７２Ｋ，７２Ｃ，７２Ｙよりも記録媒体２４の搬送方向上流側に配置される。
【００２７】
中間搬送部２６から描画ドラム７０に受け渡された記録媒体２４は、上述の保持手段によって先端が保持された状態で回転搬送される際、用紙抑えローラ７４によって押圧され、描画ドラム７０の外周面に密着されられる。このようにして、記録媒体２４を描画ドラム７０の外周面に密着させた後に、描画ドラム７０の外周面から浮き上がりのない状態で、ヘッド７２Ｍ，７２Ｋ，７２Ｃ，７２Ｙの直下の印字領域に送られる。
【００２８】
ヘッド７２Ｍ，７２Ｋ，７２Ｃ，７２Ｙはそれぞれ、記録媒体２４における画像形成領域の最大幅に対応する長さを有するフルライン型のインクジェット方式のヘッド（インクジェットヘッド）であり、そのインク吐出面には、画像形成領域の全幅にわたってインク吐出用のノズルが複数配列されたノズル列が形成されている。各ヘッド７２Ｍ，７２Ｋ，７２Ｃ，７２Ｙは、記録媒体２４の搬送方向（描画ドラム７０の回転方向）と直交する方向に延在するように固定設置される。
【００２９】
また、描画ドラム７０の外周面に保持された記録媒体２４の記録面とヘッド７２Ｍ，７２Ｋ，７２Ｃ，７２Ｙのノズル面が略平行となるように、ヘッド７２Ｍ，７２Ｋ，７２Ｃ，７２Ｙは水平面に対して傾けて配置されている。
【００３０】
上記の如く構成された各ヘッド７２Ｍ，７２Ｋ，７２Ｃ，７２Ｙから、対応する色インクの液滴が、描画ドラム７０の外周面に保持された記録媒体２４の記録面に向かって吐出される。これにより、処理液付与部１４で予め記録面に付与された処理液にインクが接触し、インク中に分散する色材（顔料）が凝集され、色材凝集体が形成される。これにより、記録媒体２４上での色材流れなどが防止され、記録媒体２４の記録面に画像が形成される。その際、描画部１６の描画ドラム７０は、処理液付与部１４の処理液ドラム５４に対して構造上分離しているので、ヘッド７２Ｍ，７２Ｋ，７２Ｃ，７２Ｙに処理液が付着することがなく、インクの不吐出要因を低減することができる。
【００３１】
なお、本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００３２】
図１において図示を省略するが、描画ドラム７０の近傍にヘッド７２Ｍ，７２Ｋ，７２Ｃ，７２Ｙのノズル面（図７に符号７２Ａを付して図示）の洗浄処理を行う洗浄処理部（図７に符号１６０を付して図示）が設けられている。洗浄処理部の詳細については後述する。
【００３３】
（乾燥部）
乾燥部１８は、色材凝集作用により分離された溶媒に含まれる水分を乾燥させる機構であり、図１に示すように、乾燥ドラム７６、及び溶媒乾燥装置７８を備えている。
【００３４】
乾燥ドラム７６は、その外周面に記録媒体２４を保持して回転搬送させるドラムであり、後述のモータドライバ１７６（図９参照）によってその回転が駆動制御される。また、乾燥ドラム７６は、その外周面に爪形状の保持手段を備え、この保持手段によって記録媒体２４の先端を保持できるようになっている。記録媒体２４は、保持手段によって先端が保持された状態で、乾燥ドラム７６を回転させることによって回転搬送される。その際、記録媒体２４の記録面が外側を向くようにして搬送され、この記録面に対して溶媒乾燥装置７８による乾燥処理が行われる。なお、乾燥ドラム７６は、その外周面に吸引孔を設けるとともに、吸引孔から吸引を行う吸引手段を接続してもよい。これにより記録媒体２４を乾燥ドラム７６の周面に密着保持することができる。
【００３５】
溶媒乾燥装置７８は、乾燥ドラム７６の外周面に対向する位置に配置され、ハロゲンヒータ８０を含んで構成される。ハロゲンヒータ８０は、所定の温度の温風を一定の風量で記録媒体２４に向けて吹き付けるように制御される。
【００３６】
このように構成される溶媒乾燥装置７８によって、乾燥ドラム７６に保持された記録媒体２４の記録面のインク溶媒に含まれる水分が蒸発され、乾燥処理が行われる。その際、乾燥部１８の乾燥ドラム７６は、描画部１６の描画ドラム７０に対して構造上分離しているので、ヘッド７２Ｍ，７２Ｋ，７２Ｃ，７２Ｙにおいて、熱乾燥によるヘッドメニスカス部の乾燥によるインクの不吐出を低減することができる。また、乾燥部１８の温度設定に自由度があり、最適な乾燥温度を設定することができる。
【００３７】
このように構成された乾燥ドラム７６の外周面に、記録媒体２４の記録面が外側を向くように（即ち、記録媒体２４の記録面が凸側となるように湾曲させた状態で）保持し、回転搬送しながら乾燥することで、記録媒体２４のシワや浮きの発生を防止でき、これらに起因する乾燥ムラを確実に防止することができる。
【００３８】
（定着部）
定着部２０は、定着ドラム８４、ハロゲンヒータ８６、定着ローラ８８、及びインラインセンサ９０で構成される。ハロゲンヒータ８６、定着ローラ８８、及びインラインセンサ９０は、定着ドラム８４の外周面に対向する位置に配置され、定着ドラム８４の回転方向（図１において反時計回り方向）の上流側から順に配置される。
【００３９】
定着ドラム８４は、その外周面に記録媒体２４を保持して回転搬送させるドラムであり、後述のモータドライバ１７６（図９参照）によってその回転が駆動制御される。また、定着ドラム８４は、その外周面に爪形状の保持手段を備え、この保持手段によって記録媒体２４の先端を保持できるようになっている。記録媒体２４は、保持手段によって先端が保持された状態で定着ドラム８４を回転させることによって、回転搬送される。その際、記録媒体２４の記録面が外側を向くようにして搬送され、この記録面に対して、ハロゲンヒータ８６による予備加熱と、定着ローラ８８による定着処理と、インラインセンサ９０による検査が行われる。なお、上記の定着ドラム８４は、その外周面に吸引孔を設けるとともに、吸引孔から吸引を行う吸引手段を接続してもよい。これにより記録媒体２４を定着ドラム８４の周面に密着保持することができる。
【００４０】
ハロゲンヒータ８６は、所定の温度に制御される。これにより、記録媒体２４の予備加熱が行われる。
【００４１】
定着ローラ８８は、乾燥させたインクを加熱加圧することによってインク中の自己分散性ポリマー微粒子を溶着し、インクを被膜化させるためのローラ部材であり、記録媒体２４を加熱加圧するように構成される。具体的には、定着ローラ８８は、定着ドラム８４に対して圧接するように配置されており、定着ドラム８４との間でニップローラを構成するようになっている。これにより、記録媒体２４は、定着ローラ８８と定着ドラム８４との間に挟まれ、所定のニップ圧でニップされ、定着処理が行われる。
【００４２】
また、定着ローラ８８は、熱伝導性の良いアルミなどの金属パイプ内にハロゲンランプを組み込んだ加熱ローラによって構成され、所定の温度に制御される。この加熱ローラで記録媒体２４を加熱することによって、インクに含まれるラテックスのＴｇ温度（ガラス転移点温度）以上の熱エネルギーが付与され、ラテックス粒子が溶融される。これにより、記録媒体２４の凹凸に押し込み定着が行なわれるとともに、画像表面の凹凸がレベリングされ、光沢性が得られる。
【００４３】
なお、上記の実施形態では、定着ローラ８８を１つだけ設けた構成となっているが、画像層厚みやラテックス粒子のＴｇ特性に応じて、複数段設けた構成でもよい。また、定着ドラム８４の表面を所定の温度に制御するようにしてもよい。
【００４４】
一方、インラインセンサ９０は、記録媒体２４に定着された画像について、チェックパターンや水分量、表面温度、光沢度などを計測するための計測手段であり、ＣＣＤラインセンサなどが適用される。
【００４５】
上記の如く構成された定着部２０によれば、乾燥部１８で形成された薄層の画像層内のラテックス粒子が定着ローラ８８によって加熱加圧されて溶融されるので、記録媒体２４に固定定着させることができる。また、定着部２０によれば、定着ドラム８４が他のドラムに対して構造上分離されているので、定着部２０の温度設定を、描画部１６や乾燥部１８と分離して自由に設定することができる。
【００４６】
（排出部）
図１に示すように、定着部２０に続いて排出部２２が設けられている。排出部２２は、排出トレイ９２を備えており、この排出トレイ９２と定着部２０の定着ドラム８４との間に、これらに対接するように渡し胴９４、搬送ベルト９６、張架ローラ９８が設けられている。記録媒体２４は、渡し胴９４により搬送ベルト９６に送られ、排出トレイ９２に排出される。
【００４７】
（中間搬送部）
次に、第１の中間搬送部２６の構造について説明する。なお、第２の中間搬送部２８、第３の中間搬送部３０は、第１の中間搬送部２６と同様の構成であり、その説明を省略する。
【００４８】
第１の中間搬送部２６の中間搬送体３２は、前段のドラムから記録媒体２４を受け取り、回転搬送させた後、後段のドラムに受け渡すためのドラムであり、回転自在に取り付けられている。また、中間搬送体３２は、モータ（図１中不図示、図９に符号１８８を付して図示）によって回転するようになっており、後述のモータドライバ１７６（図９参照）によってその回転が駆動制御される。中間搬送体３２は、その外周面に爪形状の保持手段を備え、この保持手段によって記録媒体２４の先端を保持できるようになっている。記録媒体２４は、保持手段によって先端が保持された状態で中間搬送体３２を回転させることによって、記録媒体２４を回転搬送される。その際、記録媒体２４の記録面が内側、非記録面が外側を向くように回転搬送される。
【００４９】
第１の中間搬送部２６によって搬送された記録媒体２４は、後段のドラム（即ち、描画ドラム７０）に受け渡される。その際、中間搬送部２６の保持手段と描画部１６の保持手段を同期させることによって、記録媒体２４の受け渡しが行われる。受け渡された記録媒体２４は、描画ドラム７０によって保持されて回転搬送される。
【００５０】
〔インクジェットヘッドの構造〕
次に、各インクジェットヘッドの構造について説明する。なお、各色に対応するヘッド７２Ｍ，７２Ｋ，７２Ｃ，７２Ｙの構造は共通しているので、以下、これらを代表して符号７２によってインクジェットヘッド（以下、単に「ヘッド」ともいう。）を示すものとする。
【００５１】
図２は、ヘッド７２の構造例を示す平面図であり、ノズル面７２Ａ側から見た図である。また、図３は図２の一部拡大図である。
【００５２】
図２に示すように、ヘッド７２はｎ個のヘッドモジュール７２−ｉ（ｉ＝１，２，３，…，ｎ）を長手方向（記録媒体２４（図１参照）の搬送方向と直交する方向）に沿ってつなぎ合わせた構造を有し、記録媒体の全幅に対応する長さにわたって複数のノズル（図２中不図示、図４に符号１５１を付して図示）が設けられている。
【００５３】
ヘッドモジュール７２−ｉは、ヘッド７２における短手方向の両側からヘッドモジュール支持部材７２Ｂによって支持されている。また、ヘッド７２の長手方向における両端部はヘッド支持部材７２Ｃによって支持されている。
【００５４】
図３に示すように、各ヘッドモジュール７２Ａは、複数のノズル（図３中不図示、図４に符号１５１を付して図示）がマトリクス状に配列された構造を有している。図３において符号１５１Ａを付して図示した斜めの実線は、複数のノズルが一列に並べられたノズル列を表している。
【００５５】
図４（ａ）は、ヘッドモジュール７２Ａの平面透視図であり、図４（ｂ）はその一部の拡大図であり、図４（ｃ）はヘッド７２の他の構造例を示す平面透視図である。また、図５はインク室ユニットの立体的構成を示す断面図（図４（ａ）、（ｂ）中の５−５線に沿う断面図）である。
【００５６】
記録媒体２４上に形成されるドットピッチを高密度化するためには、ヘッド７２におけるノズルピッチを高密度化する必要がある。本例のヘッドモジュール７２Ａは、図４（ａ）、（ｂ）に示すように、インク吐出口であるノズル１５１と、各ノズル１５１に対応する圧力室１５２等からなる複数のインク室ユニット（記録素子単位としての液滴吐出素子）１５３を千鳥でマトリクス状に（２次元的に）配置させた構造を有し、これにより、ヘッド長手方向（記録媒体２４の搬送方向と直交する方向；主走査方向）に沿って並ぶように投影される実質的なノズル間隔（投影ノズルピッチ）の高密度化を達成している。
【００５７】
記録媒体２４の搬送方向（副走査方向）と略直交する方向（主走査方向）に記録媒体２４の全幅に対応する長さにわたり１列以上のノズル列を構成する形態は本例に限定されない。例えば、図２の構成に代えて、図４（ｃ）に示すように、複数のノズル１５１が２次元に配列された短尺のヘッドブロック７２’−ｉを千鳥状に配列して繋ぎ合わせることで長尺化することにより、全体として記録媒体２４の全幅に対応する長さのノズル列を有するラインヘッドを構成してもよい。
【００５８】
各ノズル１５１に対応して設けられている圧力室１５２は、その平面形状が概略正方形となっており、対角線上の両隅部の一方にノズル１５１が設けられ、他方に供給口１５４が設けられている。なお、圧力室１５２の形状は、本例に限定されず、平面形状が四角形（菱形、長方形など）、五角形、六角形その他の多角形、円形、楕円形など、多様な形態があり得る。
【００５９】
図５に示すように、各圧力室１５２は供給口１５４を介して共通流路１５５と連通されている。共通流路１５５はインク供給源たるインクタンク（不図示）と連通しており、インクタンクから供給されるインクは共通流路１５５を介して各圧力室１５２に供給される。
【００６０】
圧力室１５２の一部の面（図５において天面）を構成し、且つ、共通電極と兼用される振動板１５６には、個別電極１５７を備えた圧電素子１５８が接合されている。個別電極１５７に駆動電圧を印加することによって圧電素子１５８が変形して圧力室１５２の容積が変化し、これに伴う圧力変化によりノズル１５１からインクが吐出される。インク吐出後、圧電素子１５８が元の状態に戻る際、共通流路１５５から供給口１５４を通って新しいインクが圧力室１５２に再充填される。
【００６１】
本例では、ヘッド７２に設けられたノズル１５１から吐出させるインクの吐出力発生手段として圧電素子１５８を適用したが、圧力室１５２内にヒータを備え、ヒータの加熱による膜沸騰の圧力を利用してインクを吐出させるサーマル方式を適用することも可能である。
【００６２】
かかる構造を有するインク室ユニット１５３を図４（ｂ）に示す如く、主走査方向に沿う行方向及び主走査方向に対して直交しない一定の角度θを有する斜めの列方向に沿って一定の配列パターンで格子状に多数配列させることにより、本例の高密度ノズルヘッドが実現されている。
【００６３】
即ち、主走査方向に対してある角度θの方向に沿ってインク室ユニット１５３を一定のピッチｄで複数配列する構造により、主走査方向に並ぶように投影されたノズルのピッチＰはｄ×cosθとなり、主走査方向については、各ノズル１５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。
【００６４】
なお、本発明の実施に際してノズルの配置構造は図示の例に限定されず、副走査方向に１列のノズル列を有する配置構造など、様々なノズル配置構造を適用できる。
【００６５】
また、本発明の適用範囲はライン型ヘッドによる印字方式に限定されず、記録媒体２４の幅方向（主走査方向）の長さに満たない短尺のヘッドを記録媒体２４の幅方向に走査させて当該幅方向の印字を行い、１回の幅方向の印字が終わると記録媒体２４の幅方向と直交する方向（副走査方向）に所定量だけ移動させて、次の印字領域の記録媒体２４の幅方向の印字を行い、この動作を繰り返して記録媒体２４の印字領域の全面にわたって印字を行うシリアル方式を適用してもよい。
【００６６】
〔メンテナンス部の説明〕
図６は、描画部１６に隣接して設けられているメンテナンス処理部１９９の斜視図である。図示のように、描画部１６の圧胴７０の軸方向に隣接して、当該圧胴７０の外側にヘッド７２Ｍ，７２Ｋ，７２Ｃ，７２Ｙのメンテナンス処理を行うためのメンテナンス処理部１９９が設けられている。
【００６７】
メンテナンス処理部１９９には、圧胴７０に近い方から、洗浄処理部１６０、払拭部２７４、及びノズルキャップ２７６が、この順に並んで配置されている。
【００６８】
各色に対応したヘッド７２Ｍ，７２Ｋ，７２Ｃ，７２Ｙを搭載したヘッドユニット２８０は、圧胴７０の回転軸２８２と平行に配置されたボールネジ２８４に取り付けられている。ボールネジ２８４の下側には、ボールネジ２８４と平行にガイド軸２８４Ｇが配置されており、ヘッドユニット２８０はこのガイド軸２８４Ｇに摺動自在に係合している。また、ヘッドユニット２８０の下側には当該ヘッドユニット２８０の移動を案内するガイド溝２８６Ａを有するガイドレール部材２８６がボールネジ２８４と平行に配設されている。
【００６９】
ヘッド７２Ｍ，７２Ｋ，７２Ｃ，７２Ｙを一体的に保持するヘッドユニット２８０の筐体２８８の下面には、ガイド溝２８６Ａに係合する係合部（不図示）が突出して形成されており、この係合部がガイド溝２８６Ａに摺動自在に係合した構造によって、ヘッドユニット２８０はガイド溝２８６Ａに案内されて移動可能となっている。
【００７０】
ボールネジ２８４、ガイド軸２８４Ｇ、ガイドレール部材２８６は、図６に示すように、ヘッドユニット２８０を圧胴７０の上部の画像形成位置Ｐ１から、ノズルキャップ２７６と対向する位置（メンテナンス位置Ｐ２）まで移動させることができるように、所要の長さで圧胴７０の軸方向に沿って延設されている。
【００７１】
ボールネジ２８４は、不図示の駆動手段（例えば、モータ）により回転され、この回転により、ヘッドユニット２８０は、画像形成位置Ｐ１とメンテナンス位置Ｐ２との間を移動する。また、ヘッドユニット２８０は、図示せぬ上下移動機構により、圧胴７０から遠ざかる方向、又は圧胴７０に近づく方向に移動させることができる。
【００７２】
使用する記録媒体２４の厚さに応じて、圧胴７０表面に対するヘッドユニット２８０の高さ（記録媒体２４の記録面と各ヘッド７２Ｍ，７２Ｋ，７２Ｃ，７２Ｙとのクリアランス）が制御される。また、用紙搬送時にジャムなどが発生した場合には、ヘッドユニット２８０を図６の上方向に移動させ、画像形成時の所定高さ位置から退避させることができる。
【００７３】
なお、ヘッドユニット２８０の筐体２８８と、ボールネジ２８４及びガイド軸２８４Ｇとの連結部２８９は、図６に示すように、ヘッドユニット２８０の上下方向の移動を案内する直動可能な係合構造２８９Ａが採用されている。
【００７４】
〔洗浄処理部〕
次に、図６に図示した洗浄処理部１６０について詳説する。
【００７５】
図７は、洗浄処理部１６０の概略構成図であり、同図はフルライン型のヘッド７２の幅方向（短手方向）から見た図であり、同図における紙面を貫く方向はヘッド７２の長手方向（記録媒体搬送方向と直交する記録媒体の幅方向）である。
【００７６】
ヘッド７２を洗浄処理部１６０の処理領域に移動させるヘッド移動機構（図６のボールネジ２８４を含む機構）によって、ヘッド７２を洗浄処理部１６０の処理領域に移動させた後に、ノズル面７２Ａの洗浄処理が実行される。
【００７７】
図７に示す洗浄処理部１６０は、ヘッド７２のノズル面７２Ａに洗浄液を塗布する塗布ローラ１６１と、塗布ローラ１６１に供給される洗浄液１６２を収容するケース１６３と、を含んで構成されている。塗布ローラ１６１は、側面の投影形状が台形形状となる円錐台形状を有し、外周面（母線）１６１Ａは水平面（一点破線で図示）に対して角度αの傾きを有している。図７に示す外周面１６１Ａと水平面とのなす角度（外周面１６１Ａの傾き）αは２４°であり、ノズル面７２Ａの水平面に対する傾きと略同一となっている。
【００７８】
水平面に対する塗布ローラ１６１の外周面１６１Ａの傾きは、描画ドラム７０（図１参照）の形状、構造やヘッド７２の構成、配置に応じて適宜変更可能である。例えば、水平面に対するノズル面７２Ａの傾きが８°の場合には、水平面に対する塗布ローラ１６１の外周面１６１Ａの傾きも８°とすることが好ましい。
【００７９】
図７に示す洗浄処理部１６０の塗布ローラ１６１を回転軸１６４の周りに回転させながら、塗布ローラ１６１がノズル面７２Ａの直下に位置する状態でヘッド７２を長手方向に沿って移動させると、ノズル面７２Ａの長手方向の全長にわたって洗浄液が塗布される。塗布ローラ１６１の回転方向は、塗布ローラ１６１に対してヘッド７２を移動させる際の従動回転方向でもよいし、該従動回転方向と逆方向でもよい。
【００８０】
図７に示す塗布ローラ１６１は、円錐台形状における相対的に小さい直径を有する底面（小径面、傾斜の下部１６１Ｃの端面）１６１Ｄの水平方向における位置が、ヘッド７２の傾斜の下部側の端面７２Ｄの水平方向における位置よりもヘッドの内部側（図７における右側）に位置するように、ヘッド７２と塗布ローラ１６１との水平方向における相対位置が決められている。
【００８１】
つまり、ヘッド７２の傾斜の下部側の端面７２Ｄは、塗布ローラ１６１の小径面１６１Ｄよりも外側（図７における左側）に位置している。
【００８２】
また、塗布ローラ１６１はヘッド７２の幅（短手方向の長さ、記録媒体搬送方向の長さ）に対応する、同方向の長さを有している。すなわち、塗布ローラ１６１の母線は、ヘッド７２の幅と同じ長さ、又はヘッド７２の幅よりも大きい長さを有しているので、ヘッド７２の長手方向について、ヘッド７２と塗布ローラ１６１とを相対的に１回だけ移動させることで、ノズル面７２Ａの全面にわたって洗浄液を塗布することが可能である。
【００８３】
なお、「ヘッド７２の幅」とは、少なくともノズル１５１（図４（ａ）参照）が設けられているノズル配設領域の幅（ヘッドモジュール７２−ｉの幅）Ｗ１を含み、両端部のヘッドモジュール支持部材７２Ｂの幅Ｗ２を含んでいてもよい。すなわち、塗布ローラ１６１は、ヘッド７２の幅方向についてＷ１以上、Ｗ１＋（Ｗ２×２）以下の長さを有している。
【００８４】
本例に示す塗布ローラ１６１は、ノズル面７２Ａと接触せずに非接触で洗浄液の塗布を行うように構成されている。すなわち、塗布ローラ１６１はおおよそ下半分が（回転軸１６４をケース１６３に支持するベアリングが洗浄液に接触しない程度に）ケース１６３内の洗浄液１６２に浸されるように、水平面と平行の回転軸１６４によって支持され、塗布ローラ１６１を回転軸１６４の周りを回転させると、外周面１６１Ａの表面張力によってケース内の洗浄液１６２がくみ上げられ、塗布ローラ１６１の外周面１６１Ａに洗浄液のコート層１６５が形成される。塗布ローラ１６１の外周面１６１Ａに形成されたコート層１６５をノズル面７２Ａに接触させることで、ノズル面７２Ａに洗浄液が塗布される。
【００８５】
上述したように、塗布ローラ１６１を回転軸１６４の周りに回転させると、傾斜の上部１６１Ｂ（円錐台形状の相対的に大きい直径を有する底面１６１Ｅ（大径面）側）は傾斜の下部１６１Ｃよりも回転速度が大きくなるので、より多く洗浄液をくみ上げることができ、傾斜の下部１６１Ｃに比べて傾斜の上部１６１Ｂのコート層１６５の厚みが厚くなる。また、コート層１６５は撥液性の高いノズル面７２Ａと接触することで、ノズル面７２Ａと塗布ローラ１６１の間に濡れ広がり、水平面に対して傾斜しているノズル面７２Ａに、洗浄液を均一に塗布することが可能となる。
【００８６】
ヘッド７２のノズル面７２Ａと塗布ローラ１６１の外周面１６１ＡとのクリアランスＨを１ｍｍ以上２ｍｍ以下（より好ましくは１．５ｍｍ程度）とすると、ノズル面７２Ａと塗布ローラ１６１の外周面との間に洗浄液が均一に濡れ広がる。
【００８７】
塗布ローラ１６１の外周面１６１Ａは、洗浄液のコート層１６５を形成し得る材料が適用される。例えば、ポリテトラフルオロエチレン、ポリ塩化ビニル（ポリビニルクロリン）、ＰＯＭなどの樹脂材料や、ＥＰＤＭ，シリコンゴムウレタンゴムなどの弾性材料、アルミニウム、ステンレススチール、チタンなどの金属材料、ガラス等を適用可能である。
【００８８】
また、洗浄液は、ノズル面７２Ａに付着した固化インクを溶解しうる物性を有し、塗布ローラ１６１の外周面１６１Ａにコート層１６５を形成し得る物性を有し、洗浄効果のより高い専用の液体が適用される。例えば、ＤＥＧｍＢＥ（ジエチレングリコールモノブチルエーテル）などの溶剤が含まれている洗浄液を適用可能である。
【００８９】
本例に示す洗浄処理部１６０は、洗浄液１６２を収容しているケース１６３に、ヘッド７２のノズル面７２Ａから滴り落ちた使用済の洗浄液を回収する洗浄液回収部１６６を具備している。言い換えると、ケース１６３は、洗浄液供給部１６２Ａと洗浄液回収部１６６とを区画する仕切板１６７が設けられ、洗浄液供給部１６２Ａと洗浄液回収部１６６は一体に形成されている。
【００９０】
仕切板１６７は、洗浄液回収部１６６の直上に塗布ローラ１６１の小径面１６１Ｄが位置するように、その位置が決められている。仕切板１６７の材料にはインクによって腐食しない耐インク性能を有し、所定の剛性（強度）を有する材料が適用され、一例として、金属、樹脂等が挙げられる。仕切板１６７をケース１６３と同一の材料で構成すると、製造工程を共通化することが可能となる。
【００９１】
例えば、一枚の基板から洗浄液供給部１６２Ａと洗浄液回収部１６６を形成する際に、外周部を形成する壁部分と仕切板１６７をマスクして、エッチングによって洗浄液供給部１６２Ａとなる凹部と洗浄液回収部１６６となる凹部を形成することが可能である。
【００９２】
ヘッド７２のノズル面７２Ａと塗布ローラ１６１の外周面１６１Ａとの間に形成された洗浄液のコート層１６５において、傾斜の上部１６１Ｂ（大径面１６１Ｅ）側から傾斜の下部１６１Ｃ（小径面１６１Ｄ）側への洗浄液の流れが生じる。濡れ広がった洗浄液はノズル面７２Ａを伝ってヘッド７２の傾斜の下部の端面７２Ｄ近傍から滴り落ちる。図７には、洗浄液供給部１６２Ａから、塗布ローラ１６１の外周面１６１Ａとヘッド７２のノズル面７２Ａとの間を伝って、ヘッド７２の傾斜の下部の端面７２Ｄ近傍から滴り落ちる洗浄液の経路を白抜き矢印線により図示する。
【００９３】
塗布ローラ１６１の小径面１６１Ｄ及びヘッド７２の傾斜の下部の端面７２Ｄが、洗浄液回収部１６６の直上に位置するように、仕切板１６７の水平方向における位置が決められているので、ヘッド７２の傾斜の下部７２の端面Ｄから滴り落ちる使用済の洗浄液は、洗浄液回収部１６６に収容される。
【００９４】
図７に示す構成例では、ヘッド７２の傾斜の下部の端面７２Ｄは洗浄液回収部１６６の水平方向における略中央位置の直上に位置するように、ヘッド７２と洗浄液回収部１６６との相対位置が決められている。また、塗布ローラ１６１の小径面１６１Ｄが、洗浄液回収部１６６におけるヘッド７２の傾斜の下部の端面７２Ｄに対応する位置と仕切板１６７との間の略中央部に位置するように、塗布ローラ１６１と洗浄液回収部１６６との相対位置が決められている。
【００９５】
ヘッド７２の傾斜の下部の端面７２Ｄから塗布ローラ１６１の小径面１６１Ｄまでの水平方向の距離Ｘ１を１ｍｍ以上とする態様が好ましい。また、塗布ローラ１６１の小径面１６１Ｄから仕切板１６７の洗浄液回収部１６６側の面１６７Ａまでの距離Ｘ２を１ｍｍ以上とする態様が好ましい。
【００９６】
本例に示すケース１６３は、洗浄液供給部１６２Ａに新鮮な洗浄液を補充する洗浄液補充口１６２Ｂが設けられている。仕切板１６７と対向する壁（塗布ローラ１６１の大径面１６１Ｅ側の壁）の近傍における底面に設けられる洗浄液補充口１６２Ｂは、不図示の流路を介して洗浄液タンク（図６中不図示、図７に符号１５０を付して図示）と接続されている。
【００９７】
洗浄液供給部１６２Ａにおける使用前の洗浄液１６２の液面は、仕切板１６７の高さによって制御することができる。すなわち、洗浄液１６２の液面が仕切板１６７の高さを超えると洗浄液１６２は洗浄液回収部１６６に流れ込むので、洗浄液１６２の液面は仕切板１６７の高さを超えることがなく、仕切板１６７の高さ以下に制御される。
【００９８】
図８は、洗浄液の循環系（供給系及び回収系）の概略構成を示すブロック図である。洗浄液回収部１６６（図７参照）は、ポンプ１６８Ａ及びフィルタ１６９を介して洗浄液タンク１５０と接続される。すなわち、洗浄液回収部１６６に収容された使用済の洗浄液は、ポンプ１６８Ａに吸引され、洗浄液回収部１６６の外部に排出される。さらに、フィルタ１６９によってインク等の異物が除去される再使用処理が施された後に、洗浄液タンク１５０へ戻される。洗浄液タンク１５０内の洗浄液は、ポンプ１６８Ｂによって洗浄液供給部１６２Ａへと送られる。
【００９９】
なお、図７及び図８に図示した洗浄処理部１６０の構成は一例であり、ケース１６３から洗浄液１６２をくみ上げる機能を有するローラ（くみ上げローラ）、ケース１６３内の洗浄液の残量や汚れを検出して、洗浄液の補充又は交換をする機能などの他の機能を適宜追加することも可能である。
【０１００】
ノズル面７２Ａに塗布された洗浄液は、塗布後所定の時間経過後に払拭部２７４（図６参照）を用いて除去される。ノズル面７２Ａを払拭する部材として布製のウエブ（Ｗｅｂ）が好適に用いられる。ウエブとしては、例えば、表面に凹凸を有する、ポリエステル製、ポリプロピレン製の布材が好適である。
【０１０１】
払拭部２７４の構成例として、ウエブを収容したウエブカートリッジと、これを上下動させる上下機構と、払拭部２７４をヘッド７２の長手方向に沿って移動させる移動機構と、を含む構成が挙げられる。また、ウエブカートリッジの構成例として、筐体内にウエブ送りロールと、巻き取りロールが収容され、ウエブをヘッド７２のノズル面７２Ａに押し当てる押圧ローラと、ウエブを駆動搬送する駆動ローラとを備えた構成が挙げられる。
【０１０２】
かかる構成において、ウエブ送りロールは、ロール状に巻回された未使用のウエブであり、ウエブ送りロールから送り出されたウエブは、押圧ローラに巻き掛けられ、駆動ローラのローラ対を経由して巻き取りロールに巻き取られる構造が適用される。
【０１０３】
ウエブは、ウエブ送りロールと巻き取りロールの間で、押圧ローラ及び駆動ローラによって適当な張り（テンション）がかけられて、押圧ローラの部分でウエブがヘッド７２のノズル面７２Ａに押し当てられる。
【０１０４】
ウエブの送り方向は、払拭清掃時におけるヘッド７２の移動方向と逆方向とするとよく、ヘッド７２の動きに合わせて駆動ローラの駆動と巻き取りロールの軸を連動させて駆動することにより、ウエブを巻き取りロールに巻き取りながらウエブによる払拭動作が行われる。
【０１０５】
上下機構は、上下方向に移動可能な昇降台を備えており、この昇降台の上にウエブカートリッジが設置されている。上下機構の駆動手段（モータ）を制御することにより、ノズル面７２Ａに対するウエブの接触／非接触を制御することができる。
【０１０６】
さらに、ノズル面７２Ａから拭き取られた使用済みの洗浄液を回収する回収部など、ノズル面７２Ａの洗浄処理に必要な機能部を適宜追加してもよい。
【０１０７】
なお、図１に示すように複数のヘッド７２Ｍ，７２Ｋ，７２Ｃ，７２Ｙを備える装置構成では、ヘッド７２Ｍ，７２Ｋ，７２Ｃ，７２Ｙと同数の洗浄処理部１６０を備え、すべてのヘッド７２Ｍ，７２Ｋ，７２Ｃ，７２Ｙについて同時に洗浄処理を行う態様が好ましい。もちろん、ヘッド７２Ｍ，７２Ｋ，７２Ｃ，７２Ｙよりも少ない洗浄処理部１６０を備え、ヘッド７２Ｍ，７２Ｋ，７２Ｃ，７２Ｙを移動させながら、すべてのヘッド７２Ｍ，７２Ｋ，７２Ｃ，７２Ｙについて洗浄処理を逐次行うように構成してもよい。
【０１０８】
〔制御系の説明〕
図９は、インクジェット記録装置１０のシステム構成を示す要部ブロック図である。インクジェット記録装置１０は、通信インターフェース１７０、システムコントローラ１７２、メモリ１７４、モータドライバ１７６、ヒータドライバ１７８、プリント制御部１８０、画像バッファメモリ１８２、ヘッドドライバ１８４等を備えている。
【０１０９】
通信インターフェース１７０は、ホストコンピュータ１８６から送られてくる画像データを受信するインターフェース部である。通信インターフェース１７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ１８６から送出された画像データは通信インターフェース１７０を介してインクジェット記録装置１０に取り込まれ、一旦メモリ１７４に記憶される。
【０１１０】
メモリ１７４は、通信インターフェース１７０を介して入力された画像を一旦格納する記憶手段であり、システムコントローラ１７２を通じてデータの読み書きが行われる。メモリ１７４は、半導体素子からなるメモリに限らず、ハードディスクなど磁気媒体を用いてもよい。
【０１１１】
システムコントローラ１７２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能する。即ち、システムコントローラ１７２は、通信インターフェース１７０、メモリ１７４、モータドライバ１７６、ヒータドライバ１７８、処理液付与制御部１９６、乾燥制御部１９７、定着制御部１９８等の各部を制御し、ホストコンピュータ１８６との間の通信制御、メモリ１７４の読み書き制御等を行うとともに、上記の各部を制御する制御信号を生成する。
【０１１２】
メモリ１７４には、システムコントローラ１７２のＣＰＵが実行するプログラム及び制御に必要な各種データなどが格納されている。なお、メモリ１７４は、書換不能な記憶手段であってもよいし、ＥＥＰＲＯＭのような書換可能な記憶手段であってもよい。メモリ１７４は、画像データの一時記憶領域として利用されるとともに、プログラムの展開領域及びＣＰＵの演算作業領域としても利用される。
【０１１３】
プログラム格納部１９０には各種制御プログラムが格納されており、システムコントローラ１７２の指令に応じて、制御プログラムが読み出され、実行される。プログラム格納部１９０はＲＯＭやＥＥＰＲＯＭなどの半導体メモリを用いてもよいし、磁気ディスクなどを用いてもよい。外部インターフェースを備え、メモリカードやＰＣカードを用いてもよい。もちろん、これらの記録媒体のうち、複数の記録媒体を備えてもよい。なお、プログラム格納部１９０は動作パラメータ等の記録手段（不図示）と兼用してもよい。
【０１１４】
モータドライバ１７６は、システムコントローラ１７２からの指示にしたがってモータ１８８を駆動するドライバである。図９には、装置内の各部に配置されるモータを代表して符号１８８で図示されている。例えば、図９に示すモータ１８８には、図１に示す給紙胴５２、処理液ドラム５４、描画ドラム７０、乾燥ドラム７６、定着ドラム８４、渡し胴９４などの回転を駆動するモータ、第１〜第３中間搬送部２６、２８、３０の中間搬送体３２の回転を駆動するモータなどが含まれている。
【０１１５】
ヒータドライバ１７８は、システムコントローラ１７２からの指示にしたがって、ヒータ１８９を駆動するドライバである。図９には、装置内の各部に配置されるヒータを代表して符号１８９で図示されている。例えば、図９に示すヒータ１８９には、図１に示す乾燥部１８に設けられる溶媒乾燥装置７８のハロゲンヒータ８０などが含まれている。さらに、図１に示す乾燥ドラム７６、定着ドラム８４の表面を加熱するヒータも含まれている。
【０１１６】
さらに、このインクジェット記録装置１０は、処理液付与制御部１９６、乾燥制御部１９７、及び定着制御部１９８を備えており、システムコントローラ１７２からの指示にしたがって、それぞれ、処理液塗布装置５６、溶媒乾燥装置７８、及び定着ローラ８８などの各部の動作を制御する。
【０１１７】
プリント制御部１８０は、システムコントローラ１７２の制御に従い、メモリ１７４内の画像データから印字制御用の信号を生成するための各種加工、補正などの処理を行う信号処理機能を有し、生成した印字データ（ドットデータ）をヘッドドライバ１８４に供給する制御部である。プリント制御部１８０において所要の信号処理が施され、該画像データに基づいて、ヘッドドライバ１８４を介してヘッド７２の吐出液滴量（打滴量）や吐出タイミングの制御が行われる。これにより、所望のドットサイズやドット配置が実現される。
【０１１８】
また、プリント制御部１８０には画像バッファメモリ１８２が備えられており、プリント制御部１８０における画像データ処理時に画像データやパラメータなどのデータが画像バッファメモリ１８２に一時的に格納される。また、プリント制御部１８０とシステムコントローラ１７２とを統合して１つのプロセッサで構成する態様も可能である。
【０１１９】
ヘッドドライバ１８４は、プリント制御部１８０から与えられる画像データに基づいてヘッド７２の圧電素子１５８に印加される駆動信号を生成するとともに、該駆動信号を圧電素子１５８に印加して圧電素子１５８を駆動する駆動回路を含んで構成される。なお、図９に示すヘッドドライバ１８４には、ヘッド７２の駆動条件を一定に保つためのフィードバック制御系を含んでいてもよい。
【０１２０】
センサ１８５は、装置内の各部に設けられる各種センサ類であり、図１に示したインラインセンサ９０の他、温度センサ、位置検出センサ、圧力センサ等が含まれている。センサ１８５の出力信号はシステムコントローラ１７２に送られ、システムコントローラ１７２は該出力信号に基づいて装置各部に対して制御信号を送り、装置各部の制御が行われている。
【０１２１】
メンテナンス制御部１７９は、システムコントローラ１７２から送られた制御信号に基づいて、図７及び図８に図示した洗浄処理部１６０を含むメンテナンス処理部１９９の制御を行う処理ブロックである。また、メンテナンス制御部１７９はノズル内の劣化したインクをヘッド７２の外部に排出する予備吐出、吸引等のメンテナンス処理を実行に関する制御信号を各部に送出する機能を備えている。
【０１２２】
メンテナンス制御部１７９の詳細な構成の図示は省略するが、塗布ローラ１６１を回転させる回転機構を制御する回転制御部や、塗布ローラ１６１をヘッド７２の長手方向に沿って移動させる移動機構及びヘッド７２を洗浄処理部１６０の配設位置に移動させる移動機構を制御する移動制御ブロック、ケース１６３（図７参照）内の洗浄液の残量や汚れを検出するセンサから送られる検出信号に基づいて洗浄液の補充処理や交換処理を制御する処理液供給系の制御ブロック、図８のポンプ１６８Ａ，１６８Ｂの動作を制御するポンプ制御ブロックなどが含まれる。
【０１２３】
上記の如く構成されたインクジェット記録装置１０によれば、水平面に対して傾けられたヘッド７２に対して、略円錐形状の塗布ローラ１６１の傾斜面（外周面）１６１Ａに洗浄液のコート層１６５を形成し、該コート層１６５をヘッド７２のノズル面７２Ａに接触させて、該ノズル面７２Ａに洗浄液を塗布する洗浄処理部１６０において、ヘッド７２の傾斜の下側端面７４Ｄの直下に配置される洗浄液回収部１６６を具備することで、ヘッド７２のノズル面７２Ａを伝って下側端面７４Ｄから滴り落ちた使用済の洗浄液が確実に回収される。
【０１２４】
本例では、インクジェット記録装置１０に付随して洗浄処理部１６０が設けられる態様を例示したが、洗浄処理部１６０をインクジェット記録装置１０と分離させて、インクジェットヘッドのメンテナンス装置として構成することも可能である。
【０１２５】
また、本例では、画像形成装置の一例として記録媒体にカラーインクを吐出してカラー画像を記録するインクジェット記録装置を例示したが、マスクパターンの形成やプリント配線基板の配線描画など基板に樹脂液等により所定のパターン形状を形成する画像形成装置にも適用可能である。
【０１２６】
以上、本発明に係る洗浄処理装置及び画像形成装置を詳細に説明したが、本発明は、以上の例には限定されず、本発明の要旨を逸脱しない範囲において、各種の改良や変形を行ってもよいのはもちろんである。
【０１２７】
〔付記〕
（発明１）：水平面に対して傾けて配置された記録ヘッドの液体吐出面に対応する傾斜した外周面を有する略円錐形状の塗布ローラと、前記塗布ローラを略円錐形状の軸を回転軸として回転させて、前記ノズル面に対して非接触で洗浄液を塗布する回転手段と、前記塗布ローラに供給される洗浄液を貯留する洗浄液供給手段と、前記塗布ローラを前記回転軸について回転可能に支持し、かつ、前記洗浄液供給手段に貯留されている洗浄液に前記塗布ローラの一部が接触するように前記塗布ローラを支持するとともに、前記記録ヘッドと前記塗布ローラが対向する状態において、前記記録ヘッドの傾斜における下側端部が前記塗布ローラの傾斜面における下側端部よりも前記塗布ローラの外側に位置するように前記塗布ローラを支持する塗布ローラ支持手段と、前記記録ヘッドの傾斜における下側端部の直下に設けられ、前記記録ヘッドの傾斜における下側端部から滴下する洗浄液を回収する洗浄液回収手段と、を備えたことを特徴とするヘッド洗浄装置。
【０１２８】
本発明によれば、塗布ローラによって洗浄液供給部から巻き上げられ塗布ローラの表面張力により運ばれた洗浄液は記録ヘッドの液体吐出面に接触し、記録ヘッドの液体吐出面に接触した洗浄液は、記録ヘッドの傾斜を伝って記録ヘッドの傾斜の下側端部に移動し、ヘッドの下側端部から洗浄液回収手段に回収されるので、記録ヘッドから回収された使用済の洗浄液が使用前の洗浄液に混ざることがなく、記録ヘッドには常に新しい洗浄液が塗布される。
【０１２９】
「略円錐形状」とは、円錐台形状（円錐の頂点部が平面になっている形状）を含む概念であり、例えば、側面の投影形状が三角形や台形となる形状が挙げられる。
【０１３０】
非接触でノズル面に洗浄液を塗布する態様には、塗布ローラを回転させながら外周面に洗浄液のコート層を形成し、該コート層をノズル面に接触させる態様がある。
【０１３１】
洗浄液回収手段の一例として、ヘッドの下側端部の垂直下側に設けられ、ヘッドの下側端部から滴下した洗浄液を受ける態様が挙げられる。
【０１３２】
（発明２）：発明１に記載のヘッド洗浄装置において、前記洗浄液供給手段は、前記洗浄液回収手段と一体に構成されるとともに、前記塗布ローラに供給される洗浄液を貯留する供給部と前記記録ヘッドから滴下された洗浄液を回収する回収手段が仕切部材によって区画される構造を有することを特徴とする。
【０１３３】
かかる態様によれば、洗浄液供給手段と洗浄液回収手段とを一体に構成することで、液体吐出面に洗浄液を塗布しながら、記録ヘッドの液体吐出面を伝って傾斜における下部から滴下する使用済みの洗浄液を回収することができる。
【０１３４】
（発明３）：発明２に記載のヘッド洗浄装置において、前記仕切部材は、前記記録ヘッドの傾斜における下側端部が前記回収手段側に位置するように水平方向の位置が決められていることを特徴とする。
【０１３５】
かかる態様によれば、記録ヘッドの下側端部から滴り落ちた洗浄液が確実に捕獲される。
【０１３６】
（発明４）：発明２又は３に記載のヘッド洗浄装置において、前記洗浄液供給手段は、前記塗布ローラ支持手段と一体に構成され、前記仕切部材は、前記塗布ローラが洗浄液と接触する洗浄液の高さに対応する高さを有することを特徴とする。
【０１３７】
かかる態様によれば、洗浄液をオーバーフローさせることで、塗布ローラに接触する洗浄液の液面を仕切板の高さ以下に一定に制御することができる。
【０１３８】
（発明５）：発明１乃至４のいずれかに記載のヘッド洗浄装置において、前記洗浄液供給手段は、前記塗布ローラの一部が洗浄液に接触するように前記塗布ローラが支持された状態で、前記塗布ローラの傾斜面における上側端部の近傍位置に洗浄液を補充する補充口が設けられる構造を有することを特徴とする。
【０１３９】
かかる態様によれば、洗浄液供給部には新しい洗浄液が補充されるので、記録ヘッドには定常的に新しい洗浄液が塗布され、洗浄効率を落とすことがない。
【０１４０】
（発明６）：発明１乃至５のいずれかに記載のヘッド洗浄装置において、前記洗浄液回収手段は、回収した洗浄液を排出する排出口を備えたことを特徴とする。
【０１４１】
かかる態様において、排出口に負圧を発生させて使用済の洗浄液を強制的に排出させる態様が好ましい。
【０１４２】
（発明７）：発明１乃至６のいずれかに記載のヘッド洗浄装置において、前記洗浄液回収手段によって回収された洗浄液に再使用のための再使用処理を施す再使用処理手段と、前記再使用処理手段から前記洗浄液供給手段へ再使用処理後の洗浄液を循環させる循環手段と、を備えたことを特徴とする。
【０１４３】
かかる態様によれば、使用済の洗浄液を再利用することができるので、洗浄液の消費量の低減化が見込まれる。
【０１４４】
（発明８）：発明１乃至７のいずれかに記載のヘッド洗浄装置において、前記記録ヘッドの長手方向に沿って、前記記録ヘッドと前記塗布ローラとを相対的に移動させる移動手段を備えたことを特徴とする。
【０１４５】
かかる態様によれば、記録ヘッド（ノズル面）の長手方向について複数の塗布ローラを備えることなく、記録ヘッドの長手方向の全域について洗浄液を塗布し得る。
【０１４６】
（発明９）：円筒形状を有し、外周面に保持された記録媒体を所定の搬送方向に搬送する記録媒体搬送手段と、前記記録媒体搬送手段の外周面に対向し、水平面に対して傾けられて配置され、前記記録媒体に画像を記録する液体を吐出するノズルが前記記録媒体搬送手段の外周面に対向するノズル面に設けられる記録ヘッドと、前記記録ヘッドに洗浄液を塗布する洗浄処理部と、を備え、前記洗浄処理部は、前記記録ヘッドの液体吐出面に対応する傾斜した外周面を有する略円錐形状の塗布ローラと、前記塗布ローラを略円錐形状の軸を回転軸として回転させて、前記ノズル面に対して非接触で洗浄液を塗布する回転手段と、前記塗布ローラを略円錐形状の軸を回転軸として回転させて、前記ノズル面に対して非接触で洗浄液を塗布する回転手段と、前記塗布ローラに供給される洗浄液を貯留する洗浄液供給手段と、前記塗布ローラを前記回転軸について回転可能に支持し、かつ、前記洗浄液供給手段に貯留されている洗浄液に前記塗布ローラの一部が接触するように前記塗布ローラを支持するとともに、前記記録ヘッドと前記塗布ローラが対向する状態において、前記記録ヘッドの傾斜における下側端部が前記塗布ローラの傾斜面における下側端部よりも前記塗布ローラの外側に位置するように前記塗布ローラを支持する塗布ローラ支持手段と、前記記録ヘッドの傾斜における下側端部の直下に設けられ、前記記録ヘッドの傾斜における下側端部から滴下する洗浄液を回収する洗浄液回収手段と、を具備することを特徴とする画像記録装置。
【０１４７】
画像記録装置には、ノズルからカラーインクを吐出させて記録媒体に所望のカラー画像を形成するインクジェット記録装置が含まれる。
【０１４８】
（発明１０）：発明９に記載の画像記録装置において、前記記録ヘッドの記録媒体の搬送方向と直交する長手方向に沿って、前記記録ヘッドと前記塗布ローラとを相対的に移動させる移動手段を備えたことを特徴とする。
【０１４９】
かかる態様は、記録媒体に全幅に対応する長さを有するフルライン型ヘッドを備える態様に好適である。
【０１５０】
（発明１１）：水平面に対して傾けて配置された記録ヘッドのノズル面に対応する傾斜した外周面を有する略円錐形状の塗布ローラを略円錐形状の軸を回転軸として回転可能に支持し、かつ、洗浄液供給手段に収容されている洗浄液に前記塗布ローラの一部が接触するように前記塗布ローラを支持するとともに、前記記録ヘッドと前記塗布ローラが対向する状態において、前記記録ヘッドの傾斜における下側端部が前記塗布ローラの傾斜面における下側端部よりも外側に位置するように前記塗布ローラを支持し、前記塗布ローラを回転させて、前記ノズル面に対して非接触で洗浄液を塗布する洗浄液塗布工程と、前記記録ヘッドの傾斜における下側端部から滴下する洗浄液を回収する洗浄液回収工程と、を含むことを特徴とするヘッド洗浄方法。
【０１５１】
本発明において、フルライン型の記録ヘッドを洗浄する場合には、該記録ヘッドの長手方向に沿って記録ヘッドを移動させるヘッド移動工程を含むことにより、該記録ヘッドの長手方向の全体に対して洗浄液を塗布し得る。
【符号の説明】
【０１５２】
１０…インクジェット記録装置、７０…描画ドラム，７２…ヘッド、１５０…洗浄液タンク、１６０…洗浄処理部、１６１…塗布ローラ、１６２…洗浄液、１６２Ａ…洗浄液収容部、１６２Ｂ…洗浄液補充口、１６３…ケース、１６６…洗浄液回収部、１６７…仕切板、１６８Ａ，１６８Ｂ…ポンプ、１６９…フィルタ
【図１】
2010221566.tif 000003
【図２】
2010221566.tif 000004
【図３】
2010221566.tif 000005
【図４】
2010221566.tif 000006
【図５】
2010221566.tif 000007
【図６】
2010221566.tif 000008
【図７】
2010221566.tif 000009
【図８】
2010221566.tif 000010
【図９】
2010221566.tif 000011
【図１０】
2010221566.tif 000012